(57)【要約】【課題】作動機構の係留部材を釈放位置に後退位置させ、落戸体を上昇位置に上昇させ、作動機構の係留部材を解除用バネに抗して係留位置に前進位置させ、係留部材に作動部材を当接することにより係留部材を係留位置に保持して落戸体の降下が阻止され、侵入開口部は開口状態となり、この状態で檻体内に侵入開口部を介して動物が侵入して檻体内に張架された牽引ワイヤに動物が掛かり、檻体内に動物を捕獲することができる。【解決手段】檻体１に侵入開口部２を設けると共に侵入開口部を開閉可能な落戸体３を昇降自在に設け、侵入開口部を介して檻体内に動物Ｗが侵入したとき侵入開口部を閉塞すべく落戸体を落下させる作動機構５を設けてなる。【選択図】図１
2005168473.tif 000002
【特許請求の範囲】
【請求項１】
檻体に侵入開口部を設けると共に該侵入開口部を開閉可能な落戸体を昇降自在に設け、該侵入開口部を介して該檻体内に動物が侵入したとき該侵入開口部を閉塞すべく該落戸体を落下させる作動機構を設けてなり、上記作動機構は、上記檻体に設けられ、上記落戸体を上記侵入開口部が開口する上昇位置に係留可能な係留部材と、該係留部材を該落戸体を係留する係留位置から該落戸体を釈放する釈放位置に後退させる解除用バネと、該檻体内に侵入した動物により牽引される牽引ワイヤと、該係留部材に当接して該係留部材を該係留位置に係留すると共に該牽引ワイヤの牽引により係留部材から離反可能な作動部材とを備えてなることを特徴とする動物捕獲装置。
【請求項２】
上記檻体に上記落戸体を上記上昇位置に一時係留可能な一時係留部材をもつ一時係留機構を備えてなることを特徴とする請求項１記載の動物捕獲装置。
【請求項３】
上記檻体に上記牽引ワイヤを迂回案内可能な案内機構を設けてなることを特徴とする請求項１又は２記載の動物捕獲装置。
【発明の詳細な説明】
【技術分野】
【０００１】
本発明は例えば猪、猪豚、熊等の野生動物を捕獲する際に用いられる動物捕獲装置に関するものである。
【背景技術】
【０００２】
従来、この種の動物捕獲装置として、四角箱状の檻体の側面に侵入開口部を設けると共に侵入開口部を開閉可能な落戸体を昇降自在に設け、侵入開口部を介して檻体内に動物が侵入したとき作動機構により開口部を閉塞し、侵入した動物を捕獲する構造のものが知られている。
【特許文献１】実開昭６２−１７８８８２公報
【発明の開示】
【発明が解決しようとする課題】
【０００３】
しかしながら上記従来構造の場合、上記作動機構は動物の踏み上りにより傾動する底板が用いられ、底板の傾動により動物の侵入を検出する構造となっているため、底板の傾動が不確実なときには動物の捕獲効率を低下させてしまうことがあるという不都合を有している。
【課題を解決するための手段】
【０００４】
本発明はこれらの不都合を解決することを目的とするもので、本発明のうちで、請求項１記載の発明は、檻体に侵入開口部を設けると共に該侵入開口部を開閉可能な落戸体を昇降自在に設け、該侵入開口部を介して該檻体内に動物が侵入したとき該侵入開口部を閉塞すべく該落戸体を落下させる作動機構を設けてなり、上記作動機構は、上記檻体に設けられ、上記落戸体を上記侵入開口部が開口する上昇位置に係留可能な係留部材と、該係留部材を該落戸体を係留する係留位置から該落戸体を釈放する釈放位置に後退させる解除用バネと、該檻体内に侵入した動物により牽引される牽引ワイヤと、該係留部材に当接して該係留部材を該係留位置に係留すると共に該牽引ワイヤの牽引により係留部材から離反可能な作動部材とを備えてなることを特徴とする動物捕獲装置にある。
【０００５】
又、請求項２記載の発明は、上記檻体に上記落戸体を上記上昇位置に一時係留可能な一時係留部材をもつ一時係留機構を備えてなることを特徴とするものであり、又、請求項３記載の発明は、上記檻体に上記牽引ワイヤを迂回案内可能な案内機構を設けてなることを特徴とするものである。
【発明の効果】
【０００６】
本発明は上述の如く、請求項１記載の発明にあっては、作動機構の係留部材を釈放位置に後退位置させ、落戸体を上昇位置に上昇させ、作動機構の係留部材を解除用バネに抗して係留位置に前進位置させ、係留部材に作動部材を当接することにより係留部材を係留位置に保持して落戸体の降下が阻止され、侵入開口部は開口状態となり、この状態で檻体内に侵入開口部を介して動物が侵入し、動物が牽引ワイヤを牽引すると、作動部材は係留部材から離反し、係留部材は解除用バネにより釈放位置に後退位置し、係留部材は落戸体の下端面から離反し、落戸体は上昇位置から下降位置へと落戸体の大きな自重により急速降下し、侵入開口部は閉塞され、檻体内に動物を捕獲することができ、落戸体を上昇位置に容易に保持することができると共に動物の侵入により落戸体を確実に落下させることができ、作業性及び捕獲効率を高めることができる。
【０００７】
又、請求項２記載の発明にあっては、上記檻体に上記落戸体を上記上昇位置に一時係留可能な一時係留部材をもつ一時係留機構を備えてなるから、作動機構の係留部材を係留位置に配置する際に一時係留部材を係留位置に配置して落戸体の落下を阻止して置くことができ、それだけ、係留部材を係留位置に配置することを安全に行うことができ、又、請求項３記載の発明にあっては、上記檻体に上記牽引ワイヤを迂回案内可能な案内機構を設けてなるから、作動部材を確実に牽引作動することができる。
【発明を実施するための最良の形態】
【０００８】
図１乃至図９は本発明の実施の形態例を示し、１は檻体であって、図１の如く、金属製にして、四角枠体１ａに格子桟１ｂを設け、前面に侵入開口部２を設けて構成している。
【０００９】
３は落戸体であって、図１の如く、金属製にして、四角枠体３ａに格子桟３ｂを設け、上記侵入開口部２を開閉可能な大きさに形成され、侵入開口部２の両側部に断面凹形状のガイド杆４・４を対向配設し、この落戸体３をガイド杆４・４により上昇位置Ｇから下降位置Ｑに落下昇降自在に設けて構成している。
【００１０】
５は作動機構であって、上記檻体１の一方側部に設けられ、この場合、図３、図４、図５、図９の如く、上記檻体１の一方側部上面に支持体５ａを取り付け、この支持体５ａに上記落戸体３に係留して落戸体３を上記侵入開口部２が開口する上昇位置Ｇに係留可能な係留部材５ｂを摺動自在に設け、一方のガイド杆４に係留部材５ｂが挿通可能な挿通穴４ａを形成し、この係留部材５ｂを落戸体３に係留して落戸体３を上昇位置Ｇに係留する係留位置Ｋから落戸体３から離反して落戸体３を釈放する釈放位置Ｓに後退させる解除用バネ５ｃを設け、更に、檻体１内に侵入した動物Ｗにより牽引される牽引ワイヤ５ｄを案内機構６により迂回案内して檻体１内に張架し、檻体１に係留部材５ｂに当接して係留部材５ｂを係留位置Ｋに係留すると共に檻体１内に侵入した動物Ｗにより牽引される牽引ワイヤ５ｄの牽引により係留部材５ｂから離反可能な作動部材５ｅを設け、作動部材５ｅをブラケット５ｄに支点ピン５ｆにより傾動自在に枢着すると共に作動部材５ｅにハンドル部５ｇを形成して構成している。
【００１１】
しかして、図９の如く、係留部材５ｂを解除用バネ５ｃにより釈放位置Ｓに後退位置させ、図１の如く、ガイド杆４・４により落戸体３を上昇位置Ｇまで上昇させ、図５の如く、ハンドル部５ｇをもって係留部材５ｂを解除用バネ５ｃに抗して係留位置Ｋまで前進させ、支点ピン５ｆを中心にして作動部材５ｅを傾動し、係留部材５ｂの後端部に作動部材５ｅを当接することにより係留部材５ｂを係留位置Ｋに保持し、係留部材５ｂは落戸体３の下端面に当接し、落戸体３の降下が阻止され、侵入開口部２は開口状態となり、この状態で動物の侵入を待つことになり、そして、檻体１内に侵入開口部２を介して動物Ｗが侵入して檻体１内に張架された牽引ワイヤ５ｄに動物Ｗが掛かり、動物Ｗが牽引ワイヤ５ｄを牽引すると、牽引ワイヤ５ｄにより作動部材５ｅは逆向きに傾動し、作動部材５ｅは係留部材５ｂの後端部から離反し、係留部材５ｂは解除用バネ５ｃにより釈放位置Ｓに後退位置し、このとき、係留部材５ｂは落戸体３の下端面から離反し、落戸体３は上昇位置Ｇから下降位置Ｑへと落戸体３の大きな自重により急速降下し、侵入開口部２は閉塞され、檻体１内に動物Ｗを捕獲することになる。
【００１２】
この場合、図１の如く、上記案内機構６は複数個の案内シーブ６ａ・６ｂ及び縛結部６ｃからなり、上記作動部材５ｅの端部に牽引ワイヤ５ｄの一方端部を止着し、この牽引ワイヤ５ｄの他方端部を案内シーブ６ａ・６ｂ及び檻体１の四角枠体１ａ間を経て縛結部６ｃに縛付け、檻体１内に牽引ワイヤ５ｄを張架し、侵入した動物Ｗにより牽引される牽引ワイヤ５ｄを牽引案内するように設けられている。
【００１３】
７は一時係留機構であって、上記檻体１の他方側部に設けられ、この場合、図６、図７、図８の如く、上記檻体１の他方側部上面に支持体７ａを取り付け、この支持体７ａに上記落戸体３に係留して落戸体３を上記侵入開口部２が開口する上昇位置Ｇに一時係留可能な一時係留部材７ｂを摺動自在に設け、他方のガイド杆４に係留部材５ｂが挿通可能な挿通穴４ｂを形成し、かつ、この一時係留部材７ｂを落戸体３から離反して落戸体３を釈放する釈放位置Ｆから落戸体３に係留して落戸体３を上昇位置Ｇに係留する係留位置Ｔに前進させる一時解除用バネ７ｃを設け、更に、檻体１に一時係留部材７ｂに係合して一時係留部材７ｂを釈放位置Ｆに係止する一時作動部材７ｄを設け、一時係留部材７ｂにハンドル部７ｅを形成して構成している。
【００１４】
しかして、図６の想像線の如く、落戸体３を上昇位置Ｇに上昇させた後、一時係留部材７ｂを一時解除用バネ７ｃにより係留位置Ｔに前進位置させ、一時係留部材７ｂを落戸体３の下端面に当接して落戸体３を上昇位置Ｇで保持し、そして、図６の実線の如く、ハンドル部７ｅをもって一時係留部材７ｂを一時解除用バネ７ｃに抗して釈放位置Ｆまで後退させ、一時係留部材７ｂを９０度回してハンドル部７ｅを一時作動部材７ｄに引き掛けることにより一時係留部材７ｂを釈放位置Ｆに保持し、落戸体３の落下が許容され、この状態で動物Ｗの侵入を待つことになる。
【００１５】
この実施の形態例は上記構成であるから、図６の如く、一時係留機構７の一時係留部材７ｂをハンドル部７ｅと一時作動部材７ｄとの係止により釈放位置Ｆに後退位置させると共に図９の如く、作動機構５の係留部材５ｂを釈放位置Ｓに後退位置させ、この状態で、図５の如く、落戸体３を上昇位置Ｇに上昇させ、一時係留部材７ｂを一時解除用バネ７ｃにより係留位置Ｔに前進位置させ、一時係留部材７ｂを落戸体３の下端面に当接して落戸体３を上昇位置Ｇで保持し、そして、作動機構５の係留部材５ｂを解除用バネ５ｃに抗して係留位置Ｋに前進位置させ、作動部材５ｅを傾動して係留部材５ｂの後端部に作動部材５ｅを当接することにより係留部材５ｂを係留位置Ｋに保持し、係留部材５ｂは落戸体３の下端面に当接し、落戸体３の降下が阻止され、侵入開口部２は開口状態となり、次いで、一時係留部材７ｂを一時解除用バネ７ｃに抗して釈放位置Ｆに後退位置させ、一時係留部材７ｂを９０度回してハンドル部７ｅを一時作動部材７ｄに引き掛けることにより一時係留部材７ｂを釈放位置Ｆに保持し、落戸体３の落下が許容され、この状態では係留部材５ｄのみが落戸体３の降下を阻止しており、この状態で動物の侵入を待つことになる。
【００１６】
そして、この状態で、檻体１内に侵入開口部２を介して動物Ｗが侵入して檻体１内に張架された牽引ワイヤ５ｄに動物Ｗが掛かり、動物Ｗが牽引ワイヤ５ｄを牽引すると、牽引ワイヤ５ｄにより作動部材５ｅは逆向きに傾動し、作動部材５ｅは係留部材５ｂの後端部から離反し、係留部材５ｂは解除用バネ５ｃにより釈放位置Ｓに後退位置し、このとき、係留部材５ｂは落戸体３の下端面から離反し、落戸体３は上昇位置Ｇから下降位置Ｑへと落戸体３の大きな自重により急速降下し、侵入開口部２は閉塞され、檻体１内に動物Ｗを捕獲することになる。
【００１７】
従って、上記作動機構５の係留部材５ｂを釈放位置Ｓに後退位置させ、落戸体３を上昇位置Ｇに上昇させ、作動機構５の係留部材５ｂを解除用バネ５ｃに抗して係留位置Ｋに前進位置させ、作動部材５ｅを傾動して係留部材５ｂの後端部に作動部材５ｅを当接することにより係留部材５ｂを係留位置Ｋに保持して落戸体３の降下が阻止され、侵入開口部２は開口状態となり、この状態で檻体１内に侵入開口部２を介して動物Ｗが侵入して檻体１内に張架された牽引ワイヤ５ｄに動物Ｗが掛かり、動物Ｗが牽引ワイヤＷを牽引すると、作動部材５ｅは係留部材５ｂから離反し、係留部材５ｂは解除用バネ５ｃにより釈放位置Ｓに後退位置し、係留部材５ｂは落戸体３の下端面から離反し、落戸体３は上昇位置Ｇから下降位置Ｑへと落戸体３の大きな自重により急速降下し、侵入開口部２は閉塞され、檻体１内に動物Ｗを捕獲することができ、落戸体３を上昇位置Ｇに容易に保持することができると共に動物Ｗの侵入により落戸体３を確実に落下させることができ、作業性及び捕獲効率を高めることができる。
【００１８】
又、この場合、上記檻体１に上記落戸体３を上記上昇位置Ｇに一時係留可能な一時係留部材７ｂをもつ一時係留機構７を備えてなるから、作動機構５の係留部材５ｂを係留位置Ｋに配置する際に一時係留部材７ｂを係留位置Ｔに配置して落戸体３の落下を阻止して置くことができ、それだけ、係留部材５ｂを係留位置Ｋに配置することを安全に行うことができ、又、この場合、上記檻体１に上記牽引ワイヤ５ｄを迂回案内可能な案内機構６を設けてなるから、作動部材５ｅを確実に牽引作動することができる。
【００１９】
尚、本発明は上記実施の形態例に限られるものではなく、檻体１、落戸体３、作動機構５、案内機構６、一時係留機構７等の構造等は適宜変更して設計されるものである。
【００２０】
以上、所期の目的を充分達成することができる。
【図面の簡単な説明】
【００２１】
【図１】本発明の実施の形態例の全体斜視図である。
【図２】本発明の実施の形態例の全体平面図である。
【図３】本発明の実施の形態例の部分平面図である。
【図４】本発明の実施の形態例の部分斜視図である。
【図５】本発明の実施の形態例の部分側断面図である。
【図６】本発明の実施の形態例の部分側断面図である。
【図７】本発明の実施の形態例の部分平面断図である。
【図８】本発明の実施の形態例の部分側面図である。
【図９】本発明の実施の形態例の部分側断面図である。
【符号の説明】
【００２２】
１    檻体
２    侵入開口部
３    落戸体
５    作動機構
５ｂ    係留部材
５ｃ    解除用バネ
５ｄ    牽引ワイヤ
５ｅ    作動部材
６    案内機構
７    一時係留機構
【図１】
2005168473.tif 000003
【図２】
2005168473.tif 000004
【図３】
2005168473.tif 000005
【図４】
2005168473.tif 000006
【図５】
2005168473.tif 000007
【図６】
2005168473.tif 000008
【図７】
2005168473.tif 000009
【図８】
2005168473.tif 000010
【図９】
2005168473.tif 000011